(57)【要約】【課題】表示側ケースが操作側ケースの短手方向に沿ってスライドするとともに、前記操作側ケースに対して斜めに開けられる携帯式電子装置を提供すること。【解決手段】本発明に係る携帯式電子装置は、操作側ケースと、操作側ケースの上にスライド可能に覆われる表示側ケースと、両端がそれぞれ操作側ケース及び表示側ケースに枢着される回転支持部材と、湾曲の弾性部及び弾性部の両端から延在される取付端部を含む弾性部材と、を備えてなる。弾性部材の取付端部は回転支持部材に固定され、弾性部材の弾性部は表示側ケースにスライド可能に当止され且つ表示側ケースにより第一位置決め点又は第二位置決め点に位置決めされる。表示側ケースが操作側ケースに対して予定の距離を推進されると、回転支持部材は弾性部材の反発力により操作側ケースに対して回転して、表示側ケースは起き上がる。【選択図】図１
2011147110.tif 000002
【特許請求の範囲】
【請求項１】
操作側ケースと、
前記操作側ケースの上にスライド可能に覆われる表示側ケースと、
両端がそれぞれ前記操作側ケース及び前記表示側ケースに枢着される回転支持部材と、
湾曲の弾性部及び前記弾性部の両端から延在される取付端部を含む弾性部材と、
を備えてなる携帯式電子装置において、
前記弾性部材の取付端部は前記回転支持部材に固定され、前記弾性部材の弾性部は前記表示側ケースにスライド可能に当止され且つ前記表示側ケースににより第一位置決め点又は第二位置決め点に位置決めされ、
前記表示側ケースが前記操作側ケースに対して予定の距離を推進されると、前記回転支持部材は前記弾性部材の反発力により前記操作側ケースに対して回転して、前記表示側ケースは起き上がることを特徴とする携帯式電子装置。
【請求項２】
前記表示側ケースの前記操作側ケースに対面する表面には、２つの止め部が間隔をあけて突設され、
前記弾性部材の弾性部を前記２つの止め部の何れか一方に当止させることにより、前記弾性部材を第一位置決め点又は第二位置決め点に限定されることを特徴とする請求項１に記載の携帯式電子装置。
【請求項３】
前記操作側ケースには２つの第一取付凹所が設けられ、前記表示側ケースには２つの第一収容スロットが設けられ、
前記回転支持部材の両端は、それぞれ前記第一取付凹所と前記第一収容スロット内に枢着されることを特徴とする請求項１に記載の携帯式電子装置。
【請求項４】
前記携帯式電子装置は従動ロッドをさらに含み、前記従動ロッドの両端はそれぞれ前記操作側ケースと前記表示側ケースとに枢着されることを特徴とする請求項１の記載の携帯式電子装置。
【請求項５】
前記操作側ケースには１つの第二取付凹所が設けられ、前記表示側ケースには１つの第二収容スロットが設けられ、
前記従動ロッドの両端はそれぞれ前記第二取付凹所と前記第二収容スロット内に枢着されることを特徴とする請求項４の記載の携帯式電子装置。
【請求項６】
前記弾性部材は線状の弾性体であることを特徴とする請求項１の記載の携帯式電子装置。
【発明の詳細な説明】
【技術分野】
【０００１】
本発明は、携帯式電子装置に関し、特にスライドして開閉できる携帯式電子装置に関するものである。
【背景技術】
【０００２】
現在市販されている電子装置は、一般的には、相対的に回転するかまたは相対的にスライドできる表示側ケース及び操作側ケースを含む。例えば、スライド式電子装置においては、前記表示側ケースを前記操作側ケースに対してスライドさせることができる。
【発明の概要】
【発明が解決しようとする課題】
【０００３】
しかし、従来のスライド式携帯電子装置において、表示側ケースと操作側ケースとは、単に直線的にスライドして開閉できるのみである。使用する時に、表示スクリーンと露出されたキーボード部とは、略同一平面に位置するので、ユーザーは表示される画面を容易に閲覧できず、非常に不便である。
【０００４】
最近、通信技術の飛躍的な発展に伴い、携帯電子装置のデザインに対する要求も段々高くなり、前記携帯電子装置における表示側ケースと操作側ケースとの間の開閉機構は、携帯電子装置のデザインに関する重要な要素になった。従来の折り畳み式または縦方向スライド式以外の新しい開閉機構を備えた電子装置が望まれている。
【０００５】
以上の問題点に鑑みて、本発明の目的は、表示側ケースが操作側ケースの短手方向に沿ってスライドするとともに、前記操作側ケースに対して斜めに開けられる携帯式電子装置を提供することにある。
【課題を解決するための手段】
【０００６】
前記問題を解決するために、本発明に係る携帯式電子装置は、操作側ケースと、前記操作側ケースの上にスライド可能に覆われる表示側ケースと、両端がそれぞれ前記操作側ケース及び前記表示側ケースに枢着される回転支持部材と、湾曲の弾性部及び前記弾性部の両端から延在される取付端部を含む弾性部材と、を備えてなる。前記弾性部材の取付端部は前記回転支持部材に固定され、前記弾性部材の弾性部は前記表示側ケースにスライド可能に当止され且つ前記表示側ケースににより第一位置決め点又は第二位置決め点に位置決めされる。前記表示側ケースが前記操作側ケースに対して予定の距離を推進されると、前記回転支持部材は前記弾性部材の反発力により前記操作側ケースに対して回転して、前記表示側ケースは起き上がる。
【発明の効果】
【０００７】
本発明に係る携帯式電子装置において、表示側ケースは操作側ケースに対して短手方向にスライドするとともに斜めに開けられるので、前記携帯式電子装置の表示スクリーンは前記操作側ケースに対して一定の傾斜角度を呈して、ユーザーに所望の視覚角度を与えることができる。
【図面の簡単な説明】
【０００８】
【図１】本発明の実施形態に係る携帯式電子装置の立体分解図である。
【図２】図１に示す携帯式電子装置の組立図である。
【図３】図２に示す携帯式電子装置の開いた状態での背面斜視図である。
【図４】図３に示す携帯式電子装置の表示側ケースを取り外した状態を示す斜視図である。
【図５】図３に示す携帯式電子装置の操作側ケースを取り外した状態を示す斜視図である。
【発明を実施するための形態】
【０００９】
以下、図１乃至図６を参照しながら、本発明の実施形態に係る携帯式電子装置について詳細に説明する。
【００１０】
本発明に係る携帯式電子装置は、携帯電話、個人用携帯情報端末（ＰＤＡ）などであってもよい。本実施形態において、携帯電話を例として説明する。
【００１１】
図１及び図２に示したように、本発明の携帯電話１００は、操作側ケース１０と、前記操作側ケース１０の上に設けられる表示側ケース２０と、前記操作側ケース１０と前記表示側ケース２０との間に設けられる回転支持部材３０及び従動ロッド４０と、一端は前記回転支持部材３０に固定され、他端は前記表示側ケース２０に当止される弾性部材５０と、前記回転支持部材３０及び前記従動ロッド４０を取り付けるために用いられる複数の回転軸６０と、を備える。
【００１２】
前記操作側ケース１０は、ベース部材１２及び前記ベース部材１２上に被覆されるカバー部材１４を含む。
【００１３】
前記ベース部材１２は、前記表示側ケース２０に対面する上面１２２を含む。前記上面１２２には、２つの第一取付凹所１２４及び２つの第二取付凹所１２６が設けられている。前記２つの第一取付凹所１２４は、前記操作側ケース１０の長手方向の片側（長手方向に対する左右方向の一方側）に互いに離間して設置される。前記２つの第二取付凹所１２６は、前記操作側ケース１０の短手方向の両側（短手方向に対する左右両側）に対称的に設置される。前記第一取付凹所１２４を形成する２つの側壁には、前記回転支持部材３０を枢着するための２つの第一スロット１２４２が設けられている。前記第一スロット１２４２は前記操作側ケース１０の上面１２２に連通している。前記第二取付凹所１２６を形成する２つの側壁には、２つの凸台１２６２が互いに向き合うように突設されている。各凸台１２６２の略中部には、前記従動ロッド４０を枢着するための第二スロット１２６４が設けられている。前記第二スロット１２６４も前記操作側ケース１０の上面１２２に連通している。
【００１４】
前記カバー部材１４には、２つの切り欠き部１４２及び２つの貫通溝１４４が設けられている。前記２つの切り欠き部１４２は、前記カバー部材１４の長手方向の片側に互いに離間して設置され、且つ全て前記カバー部材１４の１つの長辺に貫通する。前記貫通溝１４４は、前記カバー部材１４の１つの短辺の近傍に設けられる。前記カバー部材１４の前記ベース部材１２に背離する表面には、２つの滑り止め部１４６及び複数の押しボタン１４８が設置されている。前記２つの滑り止め部１４６は、前記カバー部材１４の中部に互いに離間して突設されて前記表示側ケース２０の前記操作側ケース１０に対するスライドを阻止し、前記２つの滑り止め部１４６の連接線は前記カバー部材１４の長辺に平行する。前記押しボタン１４８は、前記カバー部材１４の他の１つの長辺に隣接して設置される。
【００１５】
前記表示側ケース２０は、下部ケース２２及び前記下部ケース２２上に被覆される上部ケース２４を含む。前記下部ケース２２の前記操作側ケース１０に対面する表面には、前記回転支持部材３０を部分的に収納するための２つの第一収容スロット２２２と、前記従動ロッド４０を収納するための第二収容スロット２２４と、２つの止め部２２６（図３を参照）と、が設置されている。前記２つの第一収容スロット２２２は、それぞれ前記下部ケース２２の２つの短辺に隣接して設置され且つ互いに平行する。前記第一収容スロット２２２の相対向する２つの側壁には、前記回転支持部材３０を枢着するための２つの第一通路２２２２が同じ軸線に設置されている。前記第二収容スロット２２４は、前記１つの第一収容スロット２２２に隣接して設けられ、且つ前記第二収容スロット２２４の相対向する２つの側壁には前記従動ロッド４０を枢着するための２つの第二通路２２４２が同じ軸線に設置されている。前記止め部２２６は、前記下部ケース２２の長辺に平行する条状物であり、互いに離間して設置される。前記上部ケース２４の前記下部ケース２２に背離する表面には、表示スクリーン２４２が設置されている。
【００１６】
前記回転支持部材３０は、略「Ｕ」型を呈し、主体板状部３２及び２つの支持アーム３４を含む。前記２つの支持アーム３４は、前記主体板状部３２の両端から折り曲げられて延在する。前記主体板状部３２の１つの側面には、前記弾性部材５０を固定するための２つの突柱３２２が互いに離間して設けられている。前記主体板状部３２の前記支持アーム３４に反向する片側には、前記操作側ケース１０の２つの第一取付凹所１２４の第一スロット１２４２にそれぞれに枢着される２つの第一固定アーム３２４が延在している。前記２つの第一固定アーム３２４の端部には、同じ軸線に位置する２つの第一軸穴３２４２が設けられる。前記支持アーム３４の端部には、前記表示側ケース２０の２つの第一収容スロット２２２の第一通路２２２２にそれぞれに枢着される２つの第二固定アーム３４２が延在している。前記第二固定アーム３４２の端部には、同じ軸線に位置する２つの第二軸穴３４２２が設けられる。
【００１７】
前記従動ロッド４０の両端は、それぞれ折り曲げられて軸穴４２２を有する枢着端４２を形成する。前記軸穴４２２を介して、前記２つの枢着端４２を前記操作側ケース１０の第二取付凹所１２６の第二スロット１２６４及び前記表示側ケース２０の第二収容スロット２２４の第二通路２２４２に枢着する。
【００１８】
前記弾性部材５０は、略ウェーブ状を呈し、湾曲した線状体である弾性部５２及び前記弾性部５２の両端からそれぞれ延在する２つの取付端部５４を含む。前記弾性部５２は複数の略弧状の湾曲段５２２から構成される。前記弾性部５２は圧力を受けると、前記湾曲段５２２が圧縮されて変形して反発力を蓄積する。前記取付端部５４は、前記弾性部５２を前記回転支持部材３０の凸柱３２２に固定するために用いられる。
【００１９】
以下、図１及び図２を参照しながら、本発明の携帯電話１００の組立工程を詳細に説明する。
【００２０】
まず、前記弾性部材５０の２つの取付端部５４を前記回転支持部材３０の２つの凸柱３２２にそれぞれ固定して、前記弾性部材５０は前記回転支持部材３０に連動されて回転することができる。それから、前記回転支持部材３０の２つの第一固定アーム３２４の第一軸穴３２４２内にそれぞれ回転軸６０を挿入し、前記従動ロッド４０の２つの枢着端４２の軸穴４２２にもそれぞれ回転軸６０を挿入する。
【００２１】
次に、前記従動ロッド４０の１つの枢着端４２を前記ベース部材１２の第二取付凹所１２６に設置すると共に、前記回転軸６０の両端を前記第二取付凹所１２６の２つの第二スロット１２６４にそれぞれ係止する。続いて、前記回転支持部材３０の２つの第一固定アーム３２４をそれぞれ前記ベース部材１２の２つの第一取付凹所１２４に設置すると共に、前記回転軸６０の両端を前記第一取付凹所１２４の２つの第一スロット１２４２にそれぞれ係止する。その後、前記従動ロッド４０のもう１つの枢着端４２を前記カバー部材１４の底部から前記何れか一方の貫通溝１４４に貫通させて、前記カバー部材１４を前記ベース部材１２上に覆う。続いて、前記カバー部材１４を移動して、前記回転支持部材３０の第一固定アーム３２４を前記カバー部材１４の切り欠き部１４２内に収納させる。このように、前記回転支持部材３０の第一固定アーム３２４及び前記従動ロッド４０の一端を前記操作側ケース１０に回転可能に連結した。
【００２２】
最後に、前記下部ケース２２の止め部２２６を有する一面を前記操作側ケース１０に対面させて、前記弾性部材５０を前記２つの止め部２２６の間に位置させる。続いて、前記回転支持部材３０の２つの第二固定アーム３４２を前記下部ケース２２の２つの第一収容スロット２２２にそれぞれに設置して、前記第二固定アーム３４２の第二軸穴３４２２と前記第一収容スロット２２２の第一通路２２２２とを位置合せてから、前記第二軸穴３４２２及び前記第一通路２２２２に回転軸６０を挿入して、前記回転支持部材３０の２つの第二固定アーム３４２を前記下部ケース２２の両側に枢着する。その後、前記従動ロッド４０のもう１つの枢着端４２を前記下部ケース２２の第二収容スロット２２４に収納して、前記枢着端４２の貫通孔４２２と前記第二収容スロット２２４の第二通路２２４２とを位置合せてから、前記貫通孔４２２及び前記第二通路２２４２に回転軸６０を挿入して、前記枢着端４２を前記下部ケース２２に枢着する。最後に、前記上部ケース２４を前記下部ケース２２上に被覆する。これで、前記携帯電話１００の組立が完成する。
【００２３】
図４及び図５に示したように、前記携帯電話１００が閉じられた状態において、前記表示側ケース２０は、前記操作側ケース１０上に重ね合せて被覆される。前記回転支持部材３０の第二固定アーム３４２は前記表示側ケース２０の第一収容スロット２２２に収納され、前記従動ロッド４０は前記表示側ケース２０の第二収容スロット２２４に収納される。前記弾性部材５０は、前記表示側ケース２０の１つの止め部２２６に当止されて第一位置決め点に位置決めされる。
【００２４】
図３に示したように、前記携帯電話１００を開ける場合、前記操作側ケース１０の前記押しボタン１４８が設置された一端から、前記表示側ケース２０を前記操作側ケース１０に対してスライドさせると、前記回転支持部材３０の第一固定アーム３２４は前記回転軸６０を巡って前記操作側ケース１０に相対的に回転するとともに前記従動ロッド４０を連動して、前記従動ロッド４０の前記操作側ケース１０に枢着される一端も前記操作側ケース１０に相対的に回転する。これに伴って、前記回転支持部材３０の第二固定アーム３４２及び前記従動ロッド４０の前記表示側ケース２０に枢着される一端もそれぞれ回転軸６０を巡って前記表示側ケース２０に相対的に回転する。前記回転支持部材３０及び前記従動ロッド４０の回転につれて、前記表示側ケース２０は操作側ケース１０に対して次第に斜めに開けられる。
【００２５】
上記の過程において、前記弾性部材５０の湾曲段５２２は、前記表示側ケース２０の２つの止め部２２６の間でスライドするので、前記弾性部材５０の湾曲段５２２は圧縮されて変形して反発力を蓄積する。ここで、前記２つの止め部２２６の中間位置を「予定位置」と定義する。前記湾曲段５２２の頂点が前記予定位置に至ると、前記弾性部材５０の反発力は一番大きくなる。続けて前記表示側ケース２０を推進すると、前記弾性部材５０は前記予定位置を滑り越えて反発力を釈放して、前記表示側ケース２０の一端は前記操作側ケース１０の滑り止め部１４６に当止されるまで、前記回転支持部材３０及び前記従動ロッド４０を誘導して回転させる。前記弾性部材５０の湾曲段５２２の頂点は、前記表示側ケース２０のもう１つの止め部２２６に当止されると、前記弾性部材５０は第二位置決め点に位置決めされて、前記表示側ケース２０は前記操作側ケース１０に対して望ましい傾斜角度に位置決められる。
【００２６】
前記携帯電話１００を閉じる場合の作動原理は、前記携帯電話１００を開ける場合とちょうど相反するから、ここで具体的な説明を省略する。
【００２７】
本発明に係る携帯電話１００において、前記操作側ケース１０に対して前記表示側ケース２０を推進すると、前記回転支持部材３０は前記第一固定アーム３２４内の回転軸６０を巡って回転するすると共に前記従動ロッド４０を連動して、前記従動ロッド４０も前記操作側ケース１０に相対的に回転する。このように、前記表示側ケース２０は、前記回転支持部材３０及び前記従動ロッド４０に支持されて、前記操作側ケース１０に対して次第に斜めに開けられる。この過程において、前記弾性部材５０は反発力を蓄積するようになる。前記湾曲段５２２は前記予定位置を越えると、前記弾性部材５０は反発力を釈放して、前記表示側ケース２０を自然に完全に開放させる。それ以外、本発明に係る弾性部材５０は線状の弾性体であるので、前記携帯電話１００の作動過程において、前記弾性部材５０から生じる騒音は極めて小さく、且つ前記弾性部材５０と前記表示側ケース２０との間の摩損も比較的小さい。
【００２８】
なお、前記携帯電話１００の表示側ケース２０は操作側ケース１０に対して完全に閉じられるか又は開けられる状態において、前記弾性部材５０に一定の予備圧縮力を持たせるのが好ましい。これにより、前記携帯電話１００を開状態又は閉状態に安定に維持する。
【００２９】
なお、前記下部ケース２２の前記操作側ケース１０に対面する表面の中部に設置された止め部２２６を省略してもよい。その代わりに、ガイド溝を開設して、前記弾性部材５０の相応的な部分を案内し、それを異なる固定点に位置決めることができる。
【００３０】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００３１】
１０        操作側ケース
１２        ベース部材
１４        カバー部材
２０        表示側ケース
２２        下部ケース
２４        上部ケース
３０        回転支持部材
３２        主体板状部
３４        支持アーム
４０        従動ロッド
４２        枢着端
５０        弾性部材
５２        弾性部
５４        取付端部
６０        回転軸
１００      携帯電話
１２２      上面
１２４      第一取付凹所
１２６      第二取付凹所
１４６      滑り止め部
１４８      押しボタン
２２２      第一収容スロット
２２４      第二収容スロット
２２６      止め部
２４２      表示スクリーン
３２２      突柱
３２４      第一固定アーム
３４２      第二固定アーム
４２２      軸穴
５２２      湾曲段
１２４２    第一スロット
１２６２    凸台
１２６４    第二スロット
２２２２    第一通路
２２４２    第二通路
３２４２    第一軸穴
３４２２    第二軸穴
【図１】
2011147110.tif 000003
【図２】
2011147110.tif 000004
【図３】
2011147110.tif 000005
【図４】
2011147110.tif 000006
【図５】
2011147110.tif 000007